(57)【要約】【課題】  コンパクトで、組み立てが簡単なねじ送り器の改良構造を提供すること。【解決手段】  ストッパーにドライバーツールを設ける導座と、平衡軌道及び曲がり形状のレールを設けた引導シート本体と、ノズル口があり、引導シート本体内に制限させて滑動可能なノズル本体と、Ｌ形に曲がり、その端部に滑車輪付引導ネジを設置したネジ押し部件と、ネジ穴のそばに凹溝があり、凹溝内にばね及び鋼玉を設ける導座と、引導シート本体と、定位ネジによりノズル本体のサイドに定位され、安全シートの後ろに一本の突起物があるノズル本体と、歯車、止め輪、中空軸、一方向軸受けを含むネジ押しセットと、ストップ調整軸とによりねじ送り器を構成する。【選択図】図６
0003103164.tif 000002
【実用新案登録請求の範囲】
【請求項１】
ねじ送り器の改良構造において、
一端にストッパーがあり、ストッパーにドライバーツールを設ける導座と、
導座のもう一端に設けられる引導シート本体において、内部にばねがあり、ばねが引導シート本体内で制限され、引導シート本体が導座に相対する一側に開け口を設け、開け口と対応し平衡軌道及び曲がり形状のレールを設けた引導シート本体と、
二つの部件をあわせて構成され、ノズル本体の前端にノズル口があり、ノズル本体側面に止めピンにより引導シート本体の平衡軌道内に設置し、止めピン及び引導シート本体のばねによりノズル本体を引導シート本体内で繰り返しの滑りを制限され、ノズル本体前端の内部に作動空間とネジ入れ溝を設置し、作動空間と対応し止め溝を設置し、その作動空間、ノズル口とネジ入れ溝が互いに対応するノズル本体と、
ノズル本体前面内部の作動空間内に設置され、引導棒を運用し作動を連帯させ、引導棒の一端が一方向軸受け内に通し、もう一端がＬ形に曲がり、その端部に滑車輪付引導ネジを設置し、引導ネジが滑車輪を利用して導座の曲がりレール内に制限されるネジ押し部件と、
ストッパーの予定位置にネジ穴が設置され、ネジ穴のそばに凹溝があり、凹溝内にばね及び鋼玉を順序に設ける導座と、
二枚対応して組み合わせた引導シート本体と、
ノズル口の一側に一枚の安全シートが設置され、安全シートに数個の止め穴が通し設置され、定位ネジによりノズル本体のサイドに定位され、安全シートの後ろに一本の突起物があるノズル本体と、
歯車、止め輪、中空軸、一方向軸受けを含み、引導棒及び弾性シート、歯車、止め輪及び中空軸は一体成型であり、歯車上の歯がネジベルトと対応してかみ合い、止め輪の周辺には溝と円弧ブロックが設置し、一方向軸受けが中空軸内に設置され、弾性シートの一端が曲がりノズル本体の止め溝内に設置させ、もう一端には円滑端部が設置し、円滑端部が止め輪の周辺と対応しストップされ、溝内に嵌られ定位するネジ押しセットと、
円形ブロックの一側に高低さ異なるストップ面が設置され、もう一側に若干の凹み止め溝を設置し、ストップ調整軸が定位ネジにより通され、定位ネジが導座のネジ穴内に設置され、そしてストップ調整軸の凹み止め溝が対応し導座の鋼玉に配置され、ストップ調整軸のストップ面はノズル本体の安全シート後端の突起部と対応するストップ調整軸と、からなることを特徴とする、
ねじ送り器の改良構造。
【考案の詳細な説明】
【技術分野】
【０００１】
本考案はねじ送り器の改良構造であって、具体的には、簡単化した素子及び安全シートストップ調整軸の部件設計により、コンパクトな構造で、しかも組み立てやすく、そして操作が容易で、ネジの深度コントロール定位が確実な効果をもつねじ送り器の改良構造に関するものである。
【背景技術】
【０００２】
図１から図４にアメリカ特許第５，４０２，６９５号に開示されている従来のねじ送り器を示す。
従来のねじ送り器は、引導溝本体（１０）とノズル本体（１１）と伸縮ばねを組み立てて構成される。
ノズル本体（１１）内に引導棒（１２）があり、引導棒（１２）の一端に一本の回転軸（１４）を利用し二つの歯車（１３）を設け、もう一端が引導溝本体（１０）の滑り溝（１０１）内に制限され、またノズル本体（１１）の前端にばね（１５）つきの定位部件（１６）を設けている。
引導棒（１２）はノズル本体（１１）の滑り溝（１１１）より連帯され上下の震動をし、二つの歯車（１３）がねじ（１７）のネジベルト（１８）を動かし円弧振動という動きをする。このとき、二つの歯車（１３）の内側に嵌り溝（１３１）を設け、二つの歯車（１３）の間にばね（１３２）つきのストッパー（１３３）があるので、ストッパー（１３３）が嵌り溝（１３１）により二つの歯車（１３）を一方向回転に制限させ、ねじ（１７）のネジベルト（１８）が一方向送り、ばね（１５）つきの定位部件（１６）はネジベルト（１８）の定位（固定）作業に提供される。
【考案の開示】
【考案が解決しようとする課題】
【０００３】
前記した従来のねじ送り器は市販され使用してきたのは長いが、このような設計は実用性や便利性が不足し、効果が良くない。
その原因のひとつは、ねじ送り器の引導棒（１２）が円弧震動で二つの歯車（１３）を連帯するものであり、二つの歯車（１３）が内側の嵌り溝（１３１）、ばね（１３２）付きストッパー（１３３）及びばね（１５）付き定位部件（１６）を組み合わせた構成であるために、構成部品点数が多く、構造が複雑であるからである。
その原因のふたつ目は、従来のねじ送り器の引導棒（１２）が一本の回転軸（１４）を利用して二つの歯車（１３）を設け、そして二つの歯車（１３）の内側に複数の嵌り溝（１３１）を設け、また二つの歯車（１３）の間にばね（１３２）付きストッパー（１３３）を設けるので、このような従来のねじ送り器の製造と組み立ては非常に面倒であり、体積も大きすぎ、生産過程の中にコストが増える。
その三つ目は、同様に、従来のねじ送り器は円弧震動により二つの歯車（１３）を連帯させるから、二つの歯車（１３）が確実にネジベルト（１８）を定位させるのは簡単ではなく、それに定位部件（１６）と震動式歯車（１３）とのあわせも簡単ではないため、従来のねじ送り器の定位効果が良くない。
【０００４】
本考案の主要な目的はコンパクトで、組み立てが簡単なねじ送り器の改良構造を提供することである。本考案は歯車、止め輪及び中空軸を一体成型させ、中空軸内に一方向軸受けを嵌めいれ、一方向軸受けが引導棒に組み立てられ、そして弾性シートにより止め輪に対応し、よって素子構造とか組み立ての複雑さを軽減でき、さらに過去の体積膨大の複雑素子の構成を簡単化させ、送り器の体積を縮小させるものである。
【０００５】
本考案の次の目的はネジ作業の深さ定位調整を確実に、簡単で操作できるねじ送り器の改良構造を提供することである。本考案は調整軸を利用しトップ突き滑り移動作動の安全シートと対応し、その調整軸は傾斜面を利用し定位鋼玉とあわせて精密な定位調整作業をし、ネジ作業深さ定位調整を確実にさせる目的を達成するものである。
【課題を解決するための手段】
【０００６】
上記目的を達成するためになされた本考案は、ねじ送り器の改良構造において、一端にストッパーがあり、ストッパーにドライバーツールを設ける導座と、導座のもう一端に設けられる引導シート本体において、内部にばねがあり、ばねが引導シート本体内で制限され、引導シート本体が導座に相対する一側に開け口を設け、開け口と対応し平衡軌道及び曲がり形状のレールを設けた引導シート本体と、二つの部件をあわせて構成され、ノズル本体の前端にノズル口があり、ノズル本体側面に止めピンにより引導シート本体の平衡軌道内に設置し、止めピン及び引導シート本体のばねによりノズル本体を引導シート本体内で繰り返しの滑りを制限され、ノズル本体前端の内部に作動空間とネジ入れ溝を設置し、作動空間と対応し止め溝を設置し、その作動空間、ノズル口とネジ入れ溝が互いに対応するノズル本体と、ノズル本体前面内部の作動空間内に設置され、引導棒を運用し作動を連帯させ、引導棒の一端が一方向軸受け内に通し、もう一端がＬ形に曲がり、その端部に滑車輪付引導ネジを設置し、引導ネジが滑車輪を利用して導座の曲がりレール内に制限されるネジ押し部件と、ストッパーの予定位置にネジ穴が設置され、ネジ穴のそばに凹溝があり、凹溝内にばね及び鋼玉を順序に設ける導座と、二枚対応して組み合わせた引導シート本体と、ノズル口の一側に一枚の安全シートが設置され、安全シートに数個の止め穴が通し設置され、定位ネジによりノズル本体のサイドに定位され、安全シートの後ろに一本の突起物があるノズル本体と、歯車、止め輪、中空軸、一方向軸受けを含み、引導棒及び弾性シート、歯車、止め輪及び中空軸は一体成型であり、歯車上の歯がネジベルトと対応してかみ合い、止め輪の周辺には溝と円弧ブロックが設置し、一方向軸受けが中空軸内に設置され、弾性シートの一端が曲がりノズル本体の止め溝内に設置させ、もう一端には円滑端部が設置し、円滑端部が止め輪の周辺と対応しストップされ、溝内に嵌られ定位するネジ押しセットと、円形ブロックの一側に高低さ異なるストップ面が設置され、もう一側に若干の凹み止め溝を設置し、ストップ調整軸が定位ネジにより通され、定位ネジが導座のネジ穴内に設置され、そしてストップ調整軸の凹み止め溝が対応し導座の鋼玉に配置され、ストップ調整軸のストップ面はノズル本体の安全シート後端の突起部と対応するストップ調整軸と、からなることを特徴とするものである。
【考案の効果】
【０００７】
本考案はネジ押しセット内の一体成型部件（歯車、止め輪及び中空軸）、一方向軸受け、引導棒と弾性シートの設計が非常に簡単であり、一体成型部件（歯車、止め輪及中空軸）には複雑な設計がなく、簡単で製作完成でき、また一方向軸受け、引導棒及び弾性シートの組合方式においても大幅に製造メーカーの組立作業を簡単化し、前記の部件の完成と言う作業はちっとも従来の製品より劣らないので、故に本考案は装置の構造と組み立ての複雑さを簡略化できる。
【０００８】
また、ノズル口の一側に一枚の安全シートがあり、安全シートの前端がノズル口に対応し予定距離を保てるので、故に安全シートは数個の止め穴を利用して一定の距離の定位変化を保て、使用者はノズル口内に異なるサイズのねじを装置でき、ねじの長さがどのように変更になっても、安全シートの前端の予定距離により吸収できるから、故に本考案は確かに構造が簡単で、コストが安いものである。
【考案を実施するための最良の形態】
【０００９】
以下に、添付した図面を参照しながら、本発明の好適な実施の形態について説明する。
まず図５，６，７，８，１７を参照して説明する。
本考案は主に導座（２０）、引導シート本体（３０）、ノズル本体（４０）、一ネジ押しセット（５０）とストップ調整軸（６０）などで構成され、それにネジベルト（７１）付きのねじ（７０）に対して作動する。
導座（２０）は一端にストッパー（２１）があり、ストッパー（２１）に固定座（２３）を設置し、電動ツールにより連帯されドライバー工具（２２）がストッパー（２１）内に動きながら設置され、また、ストッパー（２１）の予定位置にネジ穴（２４）を設け、ネジ穴（２４）のそばに凹溝（２４１）があり、凹溝（２４１）内に順序にばね（２４２）及び鋼玉（２４３）を設けている。
二枚で対応し組み立てられる二つの引導シート本体（３０）は、夫々導座（２０）の一端の二つの内面に設置される。引導シート本体（３０）の中にはばね（３１）とばね座（３２）があり、ばね（３１）とばね座（３２）は引導シート本体（３０）内で動きが制限される。引導シート本体（３０）の導座（２０）のもう一側には、相対して開け口（３３）を設け、開け口（３３）に対応するところに平衡軌道（３４）及び曲がり形状のレール（３６）がある。引導シート本体（３０）の下には、ネジ軌道シート（３８）と抓みバー（３５）が設置される。該ネジ軌道シート（３８）内にはネジ軌道（３８１）が設置される。ネジ軌道（３８１）が開け口（３３）に対応する。
ノズル本体（４０）はふたつの部品で組み立てられる。ノズル本体（４０）の前にはノズル口（４１）があり、ノズル本体（４０）の側面には止めピン（４２）で引導シート本体（３０）の平衡軌道（３４）内に滑り可能に設置され、止めピン（４２）及び引導シート本体（３０）のばね（３１）によりノズル本体（４０）が引導シート本体（３０）内で制限され往復で滑り移動する。ノズル本体（４０）の前端内部には、作動空間（４３）及びネジ入れ溝（４４）が設置され、作動空間（４３）に対応して止め溝（４５）が設置される。作動空間（４３）とノズル口（４１）とねじ入れ溝（４４）は互いに空間を共有している。そしてネジ入れ溝（４４）は引導シート本体（３０）下のネジ軌道シート（３８）のネジ軌道（３８１）に対応して形成される。
また作動空間（４３）には、リング（４６）が配置される。リング（４６）は導座（２０）を引導するドライバー工具（２２）の端部を支持する。
このほかに、ノズル口（４１）の一側に一枚の安全シート（４７）が設けられ、安全シート（４７）は数個の止め穴（４７１）を有し、定位ネジ（４８）でノズル本体（４０）のサイドに定位される。安全プレート（４７）には異なる位置に複数の止め穴（４７１）を形成していて、要求に応じて固定ねじ（４８）による固定位置を変更可能になっている。
また安全プレート（４７）の後部にはひとつのトップストッパー（４９）が伸びて形成されている。
ねじ押しセット（５０）は歯車（５１）と、止め輪（５２）と、中空軸（５３）と、一方向軸受（５４）と、引導棒（５５）及び弾性プレート（５６）を含み、ノズル本体（４０）前端内部の作動空間（４３）内に設置される。
歯車（５１）と、止め輪（５２）と中空軸（５３）は一体成型品である。
そして歯車（５１）での突出歯（５１１）は、ネジベルト（７１）上に対応した噛み合う間隔で形成されている。
止め輪（５２）の周辺には、溝（５２１）及び円弧ブロック（５２２）が交互に形成されている。
一方向軸受け（５４）は中空軸（５３）内に設置される。引導棒（５５）の一端は、一方向軸受け（５４）内を通し、一端はＬ型の曲がつた形状になっていて、Ｌ字形の端部に滑車輪（５５１）が引導ねじ（５５２）で取り付けてある。引導ねじ（５５２）で取り付けた滑車輪（５５１）の移動は、導座（２０）の曲がりレール（３６）の形成範囲に制限される。
弾性シート（５６）の一端に形成した曲がり部（５６２）は、ノズル本体（４０）の止め溝（４５）内に固定して設置し、弾性プレート（５６）の他端に形成した円滑端部（５６１）は止め輪（５２）の周面に当接する。この円滑端部（５６１）は止め輪（５２）の溝（５２１）内に嵌まり込んで、円弧ブロック（５２２）の斜面に当たって一方向の回転のみを許容するために機能する。
ストップ調整軸（６０）は円形のブロックであり、一側に高低差のある当たる面（６１）が形成されている。もう一側には若干の凹み止め溝（６２）が形成されている。ストップ調整軸（６０）はが定位ネジ（６３）により通され、定位ネジ（６３）は導座（２０）のネジ穴（２４）内に捻じって設置される。ストップ調整軸（６０）の凹み止め溝（６２）は対応し導座（２０）の鋼玉（２４３）が置けられる。ストップ調整軸（６０）の当たる面（６１）は安全プレート（４７）の後部のトップストッパー（４９）に対応する。
【００１０】
つぎに図９〜１３を参照しながら、ネジ押しセット（５０）の簡単な部件を利用し大幅に従来のねじ送り器元件結構の複雑すぎと言う問題を改善できる本考案のネジ押し器の作動について説明する。
図９〜１３は、ねじ送り器の作業ステップを説明するための透視図である。
【００１１】
図９は打ち出し位置にまだねじ（７０）が補充されていない状態を示す。
使用者は抓みバー（３５）に対し力を加える状態である。
このとき、ノズル本体（４０）と引導シート本体（３０）は相対収縮の動作が現れ、ばね（３１）は圧縮され力を蓄える。
その後、図１０に示すように、ネジ押しセット（５０）の引導棒（５５）引導ネジ（５５２）は導座（２０）の曲がりレール（３６）より連帯され、引導棒（５５）が一方向軸受け（５４）を回転させ、一方向軸受け（５４）は一方向で中空軸（５３）を押し中空軸（５３）に一体成型された歯車（５１）、止め輪（５２）が一緒に回転する。
このとき、歯車（５１）の回転はネジベルト（７１）を連帯させねじ（７０）を送り、歯車（５１）、止め輪（５２）はネジ打ちをする前に回転を完成する。
止め輪（５２）は弾性シート（５６）に対応し回転するので、弾性シート（５６）の円滑端部（５６１）を止め輪（５２）上側の円弧ブロック（５２２）の斜面の抵抗に当たらせてから、次の溝（５２１）内に嵌まり込む。歯車（５１）、止め輪（５２）は安定な定位（このときに打ち出し待ち位置に、一本の新しいねじ（７０）の補充を完成させる。
【００１２】
図１１，１２に示すように、打ち出し待機位置にねじ（７０）のセットを完了したら、ドライバー工具（２２）はねじ（７０）をねじベルト（７１）の上から押して回転させる。
ドライバー工具（２２）は、打ち出しを終えると、収縮して引導シート本体（３０）内に戻る。このとき、ノズル本体（４０）はまだ引導シート本体（３０）内に落ちている。
【００１３】
図１３に示すように、使用者が抓みバー（３５）に加える力を緩めてからノズル本体（４０）はばね（３１）の力によって引導プレート本体（３０）内から押し出される。
ノズル本体（４０）がばね（３１）により押し出される同時に、ネジ押しセット（５０）の引導棒（５５）の引導ネジ（５５２）が導座（２０）の曲がりレール（３６）に沿って移動する。引導棒（５５）は逆方向に一方向軸受け（５４）を回転させる。
一方向軸受け（５４）は逆方向に対して空転可能な状態になっているので、引導棒（５５）は一方向軸受け（５４）だけを回転させる。中空軸（５３）、歯車（５１）、止め輪（５２）は一方向軸受け（５４）に連動して回転しない。同時に、止め輪（５２）の溝（５２１）に弾性シート（５６）の円滑端部（５６１）が嵌り込んで、回転しない定位状態に保つ。
ここまで、ノズル本体（４０）上からはもう一本のねじ（７０）を打ち出し、止め輪（５２）が弾性シート（５６）の合わせのもとで確実に定位される。
前記の内容から分かることは、本考案の製品は歯車、止め輪及び中空軸を一体成型させ、一方向軸受けの簡単化構造との合わせの元に、別に弾性シートにより止め輪に対応し、よって、確実に素子構造及び組み立ての複雑さを簡単化させ、また従来なる体積膨大の複雑な素子組合を簡単化させ、本考案は構造簡単、組み立て簡単で操作が容易の効果に達成できる。
【００１４】
提起したいのは、本考案はネジ押しセット（５０）内の一体成型部件（歯車、止め輪及び中空軸）、一方向軸受け（５４）、引導棒（５５）と弾性シート（５６）の設計が非常に簡単であり、一体成型部件（歯車、止め輪及中空軸）には複雑な設計がなく、簡単で製作完成でき、また一方向軸受け（５４）、引導棒（５５）及び弾性シート（５６）の組合方式においても大幅に製造メーカーの組立作業を簡単化し、前記の部件の完成と言う作業はちっとも従来の製品より劣らないので、故に本考案は装置の構造と組み立ての複雑さを簡略化できる。
【００１５】
また、ノズル口（４１）の一側に一枚の安全シート（４７）があり、安全シート（４７）の前端がノズル口（４１）に対応し予定距離を保てるので、故に安全シート（４７）は数個の止め穴（４７１）を利用し一定の距離の定位変化を保て、使用者はノズル口（４１）内に異なるサイズのねじ（７０）を装置でき、ねじ（７０）の長さがどうにしても、安全シート（４７）前端の予定距離により吸収できるから、故に本考案は確かに構造が簡単で、コストが安いものである。
【００１６】
さらに、図１４〜１６に示すように、本考案はストップ調整軸（６０）に異なる高低差のある当たる面（６１）を設けており、当たる面（６１）がちょうど安全シート（４７）の後ろにあるトップストッパー（４９）の後に当たるので、故に本考案において使用者はストップ調整軸（６０）の高低差違う当たる面（６１）を運用しトップストッパー（４９）の最後定位位置（即ちネジがターゲットに入る深さ）をコントロールし、ストップ調整軸（６０）のもう一側の凹み止め溝（６２）は導座（２０）の鋼玉（２４３）に対応し精密な定位をし、精密なネジ作業深さ調整定位の目的を達成でき、それに使用者が埋め入れ式のネジ作業及びシートのあるネジ作業を進行する時にもっと便利になる。
【図面の簡単な説明】
【００１７】
【図１】従来の作動概略図である。
【図２】従来のもうひとつ作動概略図である。
【図３】従来の局所断面図である。
【図４】従来のもうひとつ局所断面図である。
【図５】本考案の分解立体図である。
【図６】本考案の組み立て外見図である。
【図７】本考案の局所立体断面図である。
【図８】本考案のもう一側の局所立体断面図である。
【図９】本考案のサイド断面図である。
【図１０】本考案の動作透視概略図である。
【図１１】本考案もうひとつ動作透視概略図である。
【図１２】本考案のまたひとつ動作透視概略図である。
【図１３】本考案のまたひとつ動作透視概略図である。
【図１４】本考案のサイド断面図である。
【図１５】本考案のより深いネジ作業隙間定位図である。
【図１６】本考案のより浅いネジ作業隙間定位図である。
【図１７】本考案の局所拡大図である。
【符号の説明】
【００１８】
１０        導槽本体
１０１      滑り溝
１１        ノズル本体
１２        引導棒
１３        歯車
１３１      嵌り溝
１３２      ばね
１３３      ストッパー
１４        回転軸
１５        ばね
１６        定位部件
１７        ねじ
１８        ネジベルト
２０        導座
２１        ストッパー
２２        ドライバー工具
２３        固定座
２４        ネジ穴
２４１      凹溝
２４２      ばね
２４３      鋼玉
３０        引導プレート本体
３１        ばね
３２        ばね座
３３        開け口
３４        平行軌道
３５        抓みバー
３６        レール
３８        ネジ軌道プレート
３８１      ネジ軌道
４０        ノズル本体
４１        ノズル口
４２        止めピン
４３        作動空間
４４        ネジ入れ溝
４５        止め溝
４６        リング
４７        安全プレート
４７１      止め穴
４８        定位ネジ
４９        トップストッパー
５０        ネジ押しセット
５１        歯車
５１１      突出歯
５２        止め輪
５２１      溝
５２２      円弧ブロック
５３        中空軸
５４        一方向軸受
５５        引導棒
５５１      滑車輪
５５２      引導ネジ
５６        弾性プレート
５６１      円滑端部
５６２      折曲部
６０        ストップ調整軸
６１        当たる面
６２        凹み止め溝
６３        定位ネジ
７０        ねじ
７１        ネジベルト
【図１】
0003103164.tif 000003
【図２】
0003103164.tif 000004
【図３】
0003103164.tif 000005
【図４】
0003103164.tif 000006
【図５】
0003103164.tif 000007
【図６】
0003103164.tif 000008
【図７】
0003103164.tif 000009
【図８】
0003103164.tif 000010
【図９】
0003103164.tif 000011
【図１０】
0003103164.tif 000012
【図１１】
0003103164.tif 000013
【図１２】
0003103164.tif 000014
【図１３】
0003103164.tif 000015
【図１４】
0003103164.tif 000016
【図１５】
0003103164.tif 000017
【図１６】
0003103164.tif 000018
【図１７】
0003103164.tif 000019